(57)【要約】【課題】  発光素子の発光特性が変化した場合でも、安定した光波形を得るためのレーザーダイオード駆動回路を提供する。【解決手段】  第１Ｓ／Ｈ回路１５が、レーザーダイオード１１の消光時のモニタ電圧（ＯＦＦレベル）を取得し、第２Ｓ／Ｈ回路１６が、発光時のモニタ電圧（ＯＮレベル）を取得し、ＬＰＦ１７が、モニタ電圧の平均値（モニタ平均値）を取得する。そして、デューティフィードバック回路２０が、ＯＦＦレベルのモニタ電圧と、ＯＮレベルのモニタ電圧と、デューティ比（５０％）とから、中間値（正規平均値）を算出し、モニタ平均値が正規平均値となるようにデューティ比制御信号ＤＳＣを出力する。そして、デューティコントロール回路２１が、デューティ比制御信号ＤＳＣに基づいて、データＴｘｃの波形を制御することにより、発光電流Ｉｐを制御する。【選択図】      図１
2005340278.tif 000002
【特許請求の範囲】
【請求項１】
入力信号に基づいて発光素子を駆動する発光駆動手段を備え、デューティ比に関するデータを記録した発光素子駆動回路において、
前記発光素子からの発光強度を検出し、この強度に応じた検出信号を出力する検出用受光素子と、
前記発光素子の消光時の検出信号を第１モニタ値として取得する消光モニタ手段と、
前記発光素子の発光時の検出信号を第２モニタ値として取得する発光モニタ手段と、
前記発光素子の検出信号のモニタ平均値を取得する平均強度手段と、
前記第１モニタ値、第２モニタ値及び前記デューティ比とから正規平均値を算出し、前記モニタ平均値が前記正規平均値になるように前記発光駆動手段を制御する制御手段と
を備えたことを特徴とする発光素子駆動回路。
【請求項２】
前記制御手段は、前記モニタ平均値が前記正規平均値になるように、前記発光素子の発光時間の変更を行うことを特徴とする請求項１に記載の発光素子駆動回路。
【請求項３】
前記発光モニタ手段が取得した第２モニタ値に基づいて前記発光駆動手段を制御し、前記発光素子の発光強度を制御することを特徴とする請求項１又は２に記載の発光素子駆動回路。
【請求項４】
前記発光素子にバイアス電流を出力するバイアス駆動手段を備え、
前記発光モニタ手段が取得した第１モニタ値に基づいて前記バイアス駆動手段を制御し、前記バイアス電流を制御することを特徴とする請求項１〜３のいずれか１つに記載の発光素子駆動回路。
【請求項５】
デューティ比に関するデータを取得するデューティ比取得手段を備えたことを特徴とする請求項１〜４のいずれか１つに記載の発光素子駆動回路。
【発明の詳細な説明】
【技術分野】
【０００１】
本発明は、発光素子駆動回路に係り、詳しくは、レーザーダイオードの駆動回路に好適な駆動回路に関するものである。
【背景技術】
【０００２】
レーザーダイオードは、製造上のばらつきに加え、温度特性の変化、経時劣化による特性の変化により安定した発振出力を維持することが難しい。このため、専用ドライバー回路と初期値設定のための調整機能、調整工程が必要となっている。しかし、専用ドライバー回路は、その調整範囲とレーザーダイオードのばらつき特性が一致したものを選ぶ必要があり、その選別のために歩留まりが低下しコスト高になる。特に高速仕様の場合、要求仕様との間に余裕がなくなるため、調整工程で所定の性能を確保する必要がある。  
【０００３】
そして、レーザーダイオードの特性の変化による発振出力の変化を補償するために、通常、レーザーダイオードの駆動電流は、自動出力制御回路（ＡＰＣ回路；Auto Power Control）によって制御されている（例えば、特許文献１参照。）。
【０００４】
図５は、自動出力制御回路の電気ブロック回路を示す。図５において、レーザーダイオード５１には、バイアス電流駆動回路５２により制御されるバイアス電流Ｉｂとデータ電流駆動回路５３により制御される発光電流Ｉｐとを合わせた駆動電流（Ｉｐ＋Ｉｂ）が供給される。ここで、バイアス電流駆動回路５２は、レーザーダイオード５１が発光し始める直前電流（閾値電流）と一致した値であるバイアス電流Ｉｂを制御する。データ電流駆動回路５３は、データＴｘに基づいて発光電流Ｉｐを制御する。従って、レーザーダイオード５１は、データ電流駆動回路５３から出力される発光電流Ｉｐに応答して、即ち、データＴｘに応答して発光する。データＴｘ、駆動電流（Ｉｐ＋Ｉｂ）、光出力Ｐｏに関するタイミングチャートを図６に示す。
【０００５】
モニタ用フォトダイオード５４はレーザーダイオード５１の光を受光し、受光した光出力Ｐｏに相対したモニタ電流Ｉｍを出力する。モニタ用フォトダイオード５４のモニタ電流Ｉｍは、シャント抵抗Ｒに出力される。フィードバック回路５５は、シャント抵抗Ｒに係るモニタ電流Ｉｍに比例したモニタ電圧を入力し、そのモニタ電圧と、例えば出荷時に設定した初期設定値とを比較する。
【０００６】
ここで、経時劣化や温度変化等によってレーザーダイオード５１の特性が変化して、駆動電流（Ｉｐ＋Ｉｂ）に対する光出力Ｐｏが低下すると、モニタ電流Ｉｍも相対して低下する。そこで、モニタ電圧が変化して初期設定値とならなくなった場合、フィ−ドバック回路５５は、モニタ電流Ｉｍが初期設定時の電流となるように、第１制御信号ＣＳ１をバイアス電流駆動回路５２に、第２制御信号ＣＳ２をデータ電流駆動回路５３にそれぞれ出力する。
【０００７】
バイアス電流駆動回路５２は、第１制御信号ＣＳ１に基づいてバイアス電流Ｉｂの値を調整する。データ電流駆動回路５３は、第２制御信号ＣＳ２に基づいて発光電流Ｉｐの値を調整する。そして、バイアス電流Ｉｂ及び発光電流Ｉｐの調整、即ち、駆動電流（Ｉｐ＋Ｉｂ）の調整により、レーザーダイオード５１において、光出力Ｐｏが調整される。これにより、光出力Ｐｏの安定化を図ることができる。
【特許文献１】特開２００３−３２４２３９号公報（第２，３頁）
【発明の開示】
【発明が解決しようとする課題】
【０００８】
しかし、レーザーダイオードの劣化等の影響は光出力Ｐｏの強度に対する影響だけではない。例えば、レーザーダイオードの劣化により発光特性が変化した場合、発光遅延等が生じる場合がある。この場合、発光のタイミングが当初の設定からずれてしまう。例えば、図６に示すように、発光遅延が生じたレーザーダイオードの光出力Ｐｏの立ち上がりの動作タイミングは、正規の光出力Ｐｏより遅れる。一方、光出力Ｐｏの立ち下がりのタイミングの変動が、立ち上がりのタイミングの変動と異なる場合、光波形のハイレベルの幅が狭くなる（光波形が細る）ことになる。
【０００９】
本発明は、上記問題点を解決するためになされたものであり、その目的は、発光素子の発光特性が変化した場合でも、安定した光波形を得るためのレーザーダイオード駆動回路を提供することにある。
【課題を解決するための手段】
【００１０】
本発明は、入力信号に基づいて発光素子を駆動する発光駆動手段を備え、デューティ比に関するデータを記録した発光素子駆動回路において、前記発光素子からの発光強度を検出し、この強度に応じた検出信号を出力する検出用受光素子と、前記発光素子の消光時の検出信号を第１モニタ値として取得する消光モニタ手段と、前記発光素子の発光時の検出信号を第２モニタ値として取得する発光モニタ手段と、前記発光素子の検出信号のモニタ平均値を取得する平均強度手段と、前記第１モニタ値、第２モニタ値及び前記デューティ比とから正規平均値を算出し、前記モニタ平均値が前記正規平均値になるように前記発光駆動手段を制御する制御手段とを備えた。
【００１１】
これによれば、発光素子の発光特性の変化により発光タイミングが変化した場合にも、デューティ比を正規の状態に保つことができる。
この発光素子駆動回路において、前記制御手段は、前記モニタ平均値が前記正規平均値になるように、前記発光素子の発光時間の変更を行う。
【００１２】
これによれば、前記モニタ平均値が前記正規平均値になるように、発光素子の発光時間を調整できる。
この発光素子駆動回路において、前記発光モニタ手段が取得した第２モニタ値に基づいて前記発光駆動手段を制御し、前記発光素子の発光強度を制御する。
【００１３】
これによれば、発光素子の発光時の検出信号に基づいて、発光素子の発光強度を制御できる。
この発光素子駆動回路において、前記発光素子にバイアス電流を出力するバイアス駆動手段を備え、前記発光モニタ手段が取得した第１モニタ値に基づいて前記バイアス駆動手段を制御し、前記バイアス電流を制御する。
【００１４】
これによれば、発光素子の消光時の検出信号に基づいて、バイアス電流を制御できる。
この発光素子駆動回路において、デューティ比に関するデータを取得するデューティ比取得手段を備えた。
【００１５】
これによれば、デューティ比に関するデータを取得して、そのデューティ比となるように制御できる。従って、状況に応じて所望のデューティ比を設定して、そのデューティ比となるようにすることができる。
【発明の効果】
【００１６】
本発明によれば、発光素子の発光特性が変化した場合でも、安定した光波形を得ることができる。
【発明を実施するための最良の形態】
【００１７】
以下、本発明の発光素子駆動回路を具体化したレーザーダイオード駆動回路の一実施形態を図１〜図４に従って説明する。
図１は、レーザーダイオード駆動回路の電気ブロック回路を示す。
【００１８】
図１に示すように、レーザーダイオード駆動回路は、発光素子としてのレーザーダイオード１１を備える。このレーザーダイオード１１には、バイアス電流駆動回路１２とデータ電流駆動回路１３とが接続される。そして、レーザーダイオード１１には、バイアス電流駆動回路１２により制御されるバイアス電流Ｉｂとデータ電流駆動回路１３により制御される発光電流Ｉｐとを合わせた駆動電流（Ｉｐ＋Ｉｂ）が供給される。バイアス駆動手段としてのバイアス電流駆動回路１２は、レーザーダイオード１１の発光直前の電流値（閾値）のバイアス電流Ｉｂを制御する。
【００１９】
一方、発光駆動手段としてのデータ電流駆動回路１３は、レーザーダイオード１１を発光させるためのデータＴｘｃに応じて発光電流Ｉｐを制御する。データ電流駆動回路１３はデューティコントロール回路２１に接続される。データ電流駆動回路１３はデューティコントロール回路２１から入力されたデータＴｘｃに対応して発光電流Ｉｐを制御する。
【００２０】
このデューティコントロール回路２１は、レーザーダイオード駆動回路に入力されたデータＴｘに基づいてデータＴｘｃの出力を制御する。
更に、レーザーダイオード駆動回路は、検出用受光素子としてのモニタ用フォトダイオード１４を備える。モニタ用フォトダイオード１４はレーザーダイオード１１の光を受光し、受光した光出力Ｐｏに対応した検出信号としてのモニタ電流Ｉｍを出力する。
【００２１】
このモニタ用フォトダイオード１４は、シャント抵抗Ｒを介して接地される。そして、モニタ用フォトダイオード１４は、モニタ電流Ｉｍをシャント抵抗Ｒに供給する。従って、シャント抵抗Ｒにかかる端子間電圧は、モニタ電流Ｉｍに比例した電圧（モニタ電圧）Ｖｍとなる。
【００２２】
シャント抵抗Ｒは、消光モニタ手段としての第１サンプルアンドホールド（Ｓ／Ｈ）回路１５、発光モニタ手段としての第２サンプルアンドホールド（Ｓ／Ｈ）回路１６及び平均強度手段としてのローパスフィルタ（ＬＰＦ）１７に接続されている。このため、第１Ｓ／Ｈ回路１５、第２Ｓ／Ｈ回路１６及びＬＰＦ１７には、モニタ電流Ｉｍに比例するモニタ電圧Ｖｍが供給される。
【００２３】
第１Ｓ／Ｈ回路１５は、レーザーダイオード１１の消光時に対応するＯＦＦレベルのモニタ電圧Ｖｍ（第１モニタ値）をサンプリングする。この第１Ｓ／Ｈ回路１５は、バイアス電流フィードバック回路１８と、デューティフィードバック回路２０とに接続され、それぞれにサンプリングしたモニタ電圧Ｖｍを供給する。
【００２４】
第２Ｓ／Ｈ回路１６は、レーザーダイオード１１の発光時に対応するＯＮレベルのモニタ電圧Ｖｍ（第２モニタ値）をサンプリングする。そして、第２Ｓ／Ｈ回路１６は、発光電流フィードバック回路１９と、デューティフィードバック回路２０とに接続され、それぞれにサンプリングしたモニタ電圧Ｖｍを供給する。
【００２５】
ローパスフィルタ１７は、モニタ電圧Ｖｍの平均値（モニタ平均値ＡＶＥ）を取得する。このローパスフィルタ１７はデューティフィードバック回路２０に接続される。そして、ローパスフィルタ１７は、取得したモニタ平均値ＡＶＥをモニタ用平均値信号Ｖａｖｅとしてデューティフィードバック回路２０に供給する。
【００２６】
バイアス電流フィードバック回路１８はバイアス電流駆動回路１２に接続される。このバイアス電流フィードバック回路１８は、第１Ｓ／Ｈ回路１５から供給された消光時に対応するＯＦＦレベルのモニタ電圧Ｖｍに基づいて、バイアス電流Ｉｂが実際の閾値電流となるように、バイアス電流Ｉｂの値に関するフィードバックを行う。具体的には、バイアス電流フィードバック回路１８は、実際の閾値電流となるようにバイアス電流Ｉｂの値を求め、このバイアス電流Ｉｂをバイアス電流駆動回路１２から出力させるための基準電流である第１制御信号ＣＳ１をバイアス電流駆動回路１２に供給する。
【００２７】
発光電流フィードバック回路１９は、データ電流駆動回路１３に接続される。この発光電流フィードバック回路１９は、第２Ｓ／Ｈ回路１６から供給された発光時に対応するＯＮレベルのモニタ電圧Ｖｍに基づいて、所定の発光強度となるように、発光電流Ｉｐの値に関するフィードバックを行う。具体的には、発光電流フィードバック回路１９は、所定の発光強度になるように発光電流Ｉｐの値を求め、この発光電流Ｉｐをデータ電流駆動回路１３から出力させるための基準電流である第２制御信号ＣＳ２をデータ電流駆動回路１３に供給する。
【００２８】
デューティフィードバック回路２０には、第１Ｓ／Ｈ回路１５から出力されたＯＦＦレベルのモニタ電圧Ｖｍと、第２Ｓ／Ｈ回路１６から出力されたＯＮレベルのモニタ電圧Ｖｍと、ローパスフィルタ１７から出力されたモニタ用平均値信号Ｖａｖｅとが入力される。そして、デューティフィードバック回路２０は、正規のデューティ比となるように、フィードバックを行う。このデューティフィードバック回路２０には、デューティ比に関するデータが記録されている。なお、本実施形態では、正規のデューティ比として５０％を用い、デューティ比「５０％」に関するデータが、デューティフィードバック回路２０に記録されている。そして、デューティフィードバック回路２０は、モニタ用平均値信号Ｖａｖｅに基づくモニタ平均値ＡＶＥがモニタ電圧Ｖｍの中間値となるようにするための制御を行う。
【００２９】
具体的には、デューティフィードバック回路２０は、消光時に対応するＯＦＦレベルのモニタ電圧Ｖｍと、発光時に対応するＯＮレベルのモニタ電圧Ｖｍとの中間値を算出する。そして、デューティフィードバック回路２０は、その中間値と、モニタ用平均値信号Ｖａｖｅとに基づいてデューティ比制御信号ＤＳＣを生成する。具体的には、モニタ用平均値信号Ｖａｖｅに基づく電圧の値（モニタ平均値ＡＶＥ）を、ＯＦＦレベルとＯＮレベルのモニタ電圧Ｖｍの中間値になるようにデューティ比制御信号ＤＳＣを生成する。
【００３０】
このデューティフィードバック回路２０は、デューティコントロール回路２１に接続され、生成したデューティ比制御信号ＤＳＣをデューティコントロール回路２１に供給する。
【００３１】
デューティコントロール回路２１は、デューティ比制御信号ＤＳＣに基づいて、データＴｘに対してデータＴｘｃを制御する。具体的には、デューティコントロール回路２１は、入力されたデータＴｘに対して、デューティ比制御信号ＤＳＣに従って、デューティ比が５０％になるようなデータＴｘｃを出力する。従って、本実施形態では、デューティフィードバック回路２０及びデューティコントロール回路２１が、請求の範囲に記載の制御手段を構成する。
【００３２】
以下、図２〜図４に示すタイミングチャートを用いて説明する。
図２に示すように、まず、デューティコントロール回路２１にデータＴｘが入力される。このデータＴｘは、図２に示すように、所定のパルス幅を持ったパルス信号である。デューティコントロール回路２１は、データＴｘに基づいてデータＴｘｃをデータ電流駆動
回路１３に供給する。データＴｘｃに対応してデータ電流駆動回路１３は発光電流Ｉｐをレーザーダイオード１１に供給する。そして、レーザーダイオード１１は、発光電流Ｉｐに基づいて発光する。この結果、光出力Ｐｏがモニタ用フォトダイオード１４に受光される。
【００３３】
光出力Ｐｏを受光したモニタ用フォトダイオード１４はモニタ電流Ｉｍを出力する。この結果、第１Ｓ／Ｈ回路１５はＯＦＦ電圧、第２Ｓ／Ｈ回路１６はＯＮ電圧を出力する。また、ＬＰＦ１７は、モニタ平均値ＡＶＥに関するモニタ用平均値信号Ｖａｖｅを出力する。ここで、デューティ比は５０％の場合には、図３に示すように、ＯＮ電圧とＯＦＦ電圧との中間値がモニタ平均値ＡＶＥに一致する。
【００３４】
次に、経時劣化等、何からの原因によって、レーザーダイオード１１の発光特性が変化した場合を想定する。ここでは、図３に示すように、すなわち、レーザーダイオード１１の発光が、データＴｘｃに基づく発光電流Ｉｐに追従せずに発光遅延Ｔ１を生じた場合を想定する。この場合、光出力Ｐｏの波形が細る。この場合、消灯（消光）時間が点灯（発光）時間より発光遅延Ｔ１の時間だけ短くなるため、デューティ比が５０％より小さな値になる。
【００３５】
中間値とモニタ平均値ＡＶＥとがずれたことを検知したデューティフィードバック回路２０は、この発光遅延Ｔ１を補正するためのデューティ比制御信号ＤＳＣを、デューティコントロール回路２１に供給する。このデューティ比制御信号ＤＳＣには、発光遅延Ｔ１に応じた情報を含める。そして、デューティ比制御信号ＤＳＣに基づいて、データＴｘに対するデータＴｘｃを制御する。具体的には、図４に示すように、デューティコントロール回路２１は、発光遅延Ｔ１だけデータＴｘｃのＯＮレベルを引き伸ばす。すなわち、データＴｘｃは、データＴｘよりもハイレベルの幅が広い波形となる。
【００３６】
そして、データ電流駆動回路１３は、データＴｘｃのハイレベルが入力されている間、発光電流Ｉｐを出力する。従って、発光電流Ｉｐは、データＴｘｃと同様に、デューティ比制御信号ＤＳＣに基づく時間だけ、ハイレベルの幅が広い波形となる。
【００３７】
そして、レーザーダイオード１１は、この発光電流Ｉｐに基づいて発光する。ここで、レーザーダイオード１１に発光遅延（ここでは、発光遅延Ｔ１）が生じている場合、発光電流Ｉｐがレーザーダイオード１１に供給されてから、発光遅延（ここでは、発光遅延Ｔ１）の分だけ遅れてレーザーダイオード１１が発光する。そして、レーザーダイオード１１は、発光電流Ｉｐの供給が終了したことにより消光する。ここで、発光電流Ｉｐの波形は、上記のように、発光遅延Ｔ１に対応するデューティ比制御信号ＤＳＣに基づいて、ハイレベルの幅が広くなっている。従って、レーザーダイオード１１は、発光遅延の分だけ遅れて発光するが、発光している時間に関しては、正規の状態と同様の時間で発光することとなる。
【００３８】
次に、上記のように構成したレーザーダイオード駆動回路の特徴を以下に記載する。
・本実施形態では、第１Ｓ／Ｈ回路１５が、レーザーダイオード１１の消光時のモニタ電圧Ｖｍ（ＯＦＦレベル）を取得し、第２Ｓ／Ｈ回路１６が、発光時のモニタ電圧Ｖｍ（ＯＮレベル）を取得し、ＬＰＦ１７が、モニタ平均値ＡＶＥを取得する。そして、デューティフィードバック回路２０が、ＯＦＦレベルのモニタ電圧Ｖｍと、ＯＮレベルのモニタ電圧Ｖｍと、デューティ比（５０％）とから、中間値（正規平均値）を算出し、モニタ平均値ＡＶＥが正規平均値となるようにデューティ比制御信号ＤＳＣを出力する。そして、デューティコントロール回路２１が、デューティ比制御信号ＤＳＣに基づいて、データＴｘｃの波形を制御することにより、発光電流Ｉｐを制御する。
【００３９】
このため、レーザーダイオード１１の発光特性の変化により発光タイミングが変化した場合にも、デューティ比を正規の状態に保つことができる。
・本実施形態では、デューティフィードバック回路２０は、モニタ平均値ＡＶＥが中間値（正規平均値）になるように、レーザーダイオード１１の発光時間の変更を行う。このため、モニタ平均値ＡＶＥが正規平均値になるように、レーザーダイオード１１の発光時間を調整できる。
【００４０】
・本実施形態では、第２Ｓ／Ｈ回路１６により取得したＯＮレベルのモニタ電圧Ｖｍに基づいて、データ電流駆動回路１３を制御して発光電流Ｉｐを制御することにより、レーザーダイオード１１の発光強度を制御する。このため、レーザーダイオード１１の発光時のモニタ電圧Ｖｍに基づいて、レーザーダイオード１１の発光強度を制御できる。
【００４１】
・本実施形態では、第１Ｓ／Ｈ回路１５により取得したＯＦＦレベルのモニタ電圧Ｖｍに基づいて、バイアス電流駆動回路１２を制御し、バイアス電流Ｉｂを制御する。このため、レーザーダイオード１１の消光時のモニタ電圧Ｖｍに基づいて、バイアス電流Ｉｂを制御できる。
【００４２】
なお、発明の実施の形態は上記実施形態に限定されるものではなく以下のように変更してもよい。
○上記実施形態では、発光素子としてレーザーダイオードの駆動回路に具体化したが、発光ダイオード等のその他発光素子の駆動回路に応用してもよい。
【００４３】
○上記実施形態では、受光素子としてフォトダイオードに具体化したが、フォトトランジスタ等のその他受光素子に変更して実施してもよい。
○上記実施形態では、所望のデューティ比が５０％の場合について説明したが、所望のデューティ比は、どのような値であってもよい。所望のデューティ比がどのような場合も、デューティフィードバック回路２０において、その所望のデューティ比となるようにデューティ比制御信号ＤＳＣを出力すれば、所望のデューティ比の光波形を得ることができる。
【００４４】
○上記実施形態では、所望のデューティ比（５０％）を予め定めていたが、デューティフィードバック回路２０が、デューティ比取得手段を備え、このデューティ比取得手段により取得したデューティ比を用いてもよい。これにより、状況に応じて、所望のデューティ比についての設定変更を行うことができる。
【００４５】
○上記実施形態では、シャント抵抗を用いて電圧を測定したが、発光強度に関するデータを取得できれば、別の方法により測定を行ってもよい。例えば、受光素子の電流を直接測定してもよい。
【００４６】
○上記実施形態では、第１Ｓ／Ｈ回路１５、第２Ｓ／Ｈ回路１６を用いたが、これらは、ピークホールド回路等を用いてもよい。
【図面の簡単な説明】
【００４７】
【図１】本発明に係るレーザーダイオード駆動回路の電気ブロック回路を示した図。
【図２】本発明に係るレーザーダイオード駆動回路の各構成回路の動作タイムチャートを示した図。
【図３】発光遅延が生じている場合の光出力と、その平均値についての説明図。
【図４】発光遅延に対応した動作タイムチャートを示した図。
【図５】従来の自動出力制御回路の電気ブロック回路を示した図。
【図６】従来の自動出力制御回路の各構成回路の動作タイムチャートを示した図。
【符号の説明】
【００４８】
ＡＶＥ…モニタ平均値、Ｉｍ…モニタ電流、Ｉｂ…バイアス電流、Ｉｐ…発光電流、Ｐｏ…光出力、Ｖｍ…モニタ電圧、１１…発光素子としてのレーザーダイオード、１２…バイアス駆動手段としてのバイアス電流駆動回路、１３…発光駆動手段としてのデータ電流駆動回路、１４…検出用受光素子としてのモニタ用フォトダイオード、１５…消光モニタ手段としての第１のＳ／Ｈ回路、１６…発光モニタ手段としての第２のＳ／Ｈ回路、１７…平均強度手段としてのローパスフィルタ、２０…制御手段としてのデューティフィードバック回路、２１…制御手段としてのデューティコントロール回路。
【図１】
2005340278.tif 000003
【図２】
2005340278.tif 000004
【図３】
2005340278.tif 000005
【図４】
2005340278.tif 000006
【図５】
2005340278.tif 000007
【図６】
2005340278.tif 000008